(57)【要約】【課題】  ユーザ側から録画予約装置にアクセスせずに録画予約の内容を確認できる録画予約装置を提供する。【解決手段】  ＣＰＵ１２は、不揮発性メモリ１９に記憶されているユーザからの録画予約Ｒｎがあるか否かを確認する。その日の録画予約Ｒｎがあると判断した場合には当日の全ての録画予約ＲｎをＲＡＭ１８に読み込む。更に不揮発性メモリ１９に記憶された通知時間Ｔを読み込み、ＲＡＭ１８に記憶する。そして、ＲＡＭ１８に読み込んだ録画予約Ｒｎを内容とする通知メールＭを作成し、予約時間の通知時間Ｔだけ前の時刻に携帯端末３にこの通知メールＭを送信する。【選択図】  図１
2005184597.tif 000002
【特許請求の範囲】
【請求項１】
録画日と録画開始時刻と録画終了時刻と放送局の情報を指定する予約手段と、
前記予約手段により指定された前記情報を通知する通知先機器の電子メールアドレス及び通知時間とを設定する設定手段と、
前記予約手段により指定された前記情報の有無を確認する確認手段と、
前記確認手段により前記情報が有ると確認され、かつ、この確認が行われた日と同じ日の録画日が前記予約手段により指定されている場合には、前記予約手段により指定された前記同じ日の録画日に対応する全ての前記録画開始時刻と前記録画終了時刻と前記放送局との情報を取得する取得手段と、
前記取得手段により取得された前記情報を内容とした電子メールを作成するメール作成手段と、
前記取得手段により取得された前記情報の中で最も早い前記録画開始時刻から前記通知時間だけ前の時刻になったときに、前記メール作成手段により作成された前記電子メールを前記電子メールアドレスを有する前記通信先機器に送信する送信手段と
を備えたことを特徴とする録画予約装置。
【請求項２】
前記送信手段はインターネットを介することを特徴する請求項１に記載の録画予約装置ｌ。
【請求項３】
前記送信手段は、Ｂｌｕｅｔｏｏｔｈ規格に準拠した通信手段を有し、前記電子メールは前記通信手段を介して送信することを特徴とする請求項１に記載の録画予約装置。
【請求項４】
前記電子メール作成手段及び前記送信手段は前記予約手段毎に行われることを特徴とする請求項１に記載の録画予約装置。
【請求項５】
前記メール作成手段は、前記取得手段により取得された前記情報を基に、インターネットを利用して指定された番組名の情報を取得し、この番組名の情報も電子メールの内容に追加することを特徴とする請求項１に記載の録画予約装置。
【請求項６】
録画日と録画開始時刻と録画終了時刻と放送局の情報を指定する予約手段と、
前記予約手段により指定された前記情報に対応するテレビ放送の番組を受信して記憶する記憶手段と、
前記予約手段により指定された前記情報を通知する通知先機器の電子メールアドレス及び通知時間とを設定する設定手段と、
前記予約手段により指定された前記情報の有無を確認する確認手段と、
前記確認手段により前記情報が有ると確認され、かつ、この確認が行われた日と同じ日の録画日が前記予約手段により指定されている場合には、前記予約手段により指定された前記同じ日の録画日に対応する全ての前記録画開始時刻と前記録画終了時刻と前記放送局との情報を取得する取得手段と、
前記記憶手段により前記同じ日の全ての前記番組を記憶したとする際に、その後に前記記憶手段による記憶が可能な記憶領域を算出する算出手段と、
前記取得手段により取得された前記情報と前記算出手段により算出された前記記憶領域の情報とを内容とした電子メールを作成するメール作成手段と、
前記取得手段により取得された前記情報の中で最も早い前記録画開始時刻から前記通知時間だけ前の時刻になったときに、前記メール作成手段により作成された前記電子メールを前記電子メールアドレスを有する前記通信先機器に送信する送信手段と
を備えたことを特徴とする録画予約装置。
【請求項７】
前記送信手段はインターネットを介することを特徴する請求項６に記載の録画予約装置ｌ。
【請求項８】
前記送信手段は、Ｂｌｕｅｔｏｏｔｈ規格に準拠した通信手段を有し、前記電子メールは前記通信手段を介して送信することを特徴とする請求項６に記載の録画予約装置。
【請求項９】
前記電子メール作成手段及び前記送信手段は前記予約手段毎に行われることを特徴とする請求項６に記載の録画予約装置。
【請求項１０】
前記メール作成手段は、前記取得手段により取得された前記情報を基に、インターネットを利用して指定された番組名の情報を取得し、この番組名の情報も電子メールの内容に追加することを特徴とする請求項６に記載の録画予約装置。
【発明の詳細な説明】
【技術分野】
【０００１】
この発明は、録画予約装置に係り、特に録画予約情報を録画予約装置側から事前にユーザに通知する録画予約装置に関する。
【背景技術】
【０００２】
録画予約装置は、ユーザの希望するテレビ放送の映像・音声を記録し、その記録された番組を再生する機能を備えている。近年のネットワーク技術の発達により、この装置をネットワークに接続させることで、遠隔地からこの装置を操作して、録画予約やその予約の確認等を行える録画予約装置が提案されている。
【０００３】
更に、録画が正常に行われたか否か又は正常に行われているか否かをリアルタイムに報知する装置も提案されている（例えば、特許文献１参照）。
【特許文献１】特開２００２−３７４４８４号公報（第６頁、図１参照）
【発明の開示】
【発明が解決しようとする課題】
【０００４】
上述のように、ユーザが、遠隔地から制御できる録画予約装置が提案されている。ところで、近年の録画予約装置は数多くの録画予約をしておくことが可能である為、録画予約はユーザが予約内容を記憶できる数時間や数日前に設定しているとは限らず、毎週の決められた一定の時間、曜日、時刻で予約していたとしても数多くの予約をしていたり、変則的な予約をしている為にユーザが録画予約したか否かを忘れてしまう場合もありうる。
【０００５】
しかし、従来の録画予約装置では、録画予約の内容確認は、ユーザ自身から録画予約装置へ問い合わせするしか手段は無く、この問い合わせをしない限り予約の内容は確認することが出来ない。従って、予約が適正であればよいが、不要な録画予約や本来は追加しておくべき未予約の番組があることも想定される。
【０００６】
本発明は、上記問題を解決するために提案されたもので、録画予約装置側から事前に当日の録画予約を通知することで、ユーザ側から録画予約装置にアクセスせずに録画予約の内容を確認できる録画予約装置を提供することを目的とする。
【課題を解決するための手段】
【０００７】
上記目的を達成するために、本発明の録画予約装置は、録画日と録画開始時刻と録画終了時刻と放送局の情報を指定する予約手段と、前記予約手段により指定された前記情報を通知する通知先機器の電子メールアドレス及び通知時間とを設定する設定手段と、前記予約手段により指定された前記情報の有無を確認する確認手段と、前記確認手段により前記情報が有ると確認され、かつ、この確認が行われた日と同じ日の録画日が前記予約手段により指定されている場合には、前記予約手段により指定された前記同じ日の録画日に対応する全ての前記録画開始時刻と前記録画終了時刻と前記放送局との情報を取得する取得手段と、前記取得手段により取得された前記情報を内容とした電子メールを作成するメール作成手段と、前記取得手段により取得された前記情報の中で最も早い前記録画開始時刻から前記通知時間だけ前の時刻になったときに、前記メール作成手段により作成された前記電子メールを前記電子メールアドレスを有する前記通信先機器に送信する送信手段とを備えたことを特徴としている。
【０００８】
また、本発明の他の録画予約装置は、録画日と録画開始時刻と録画終了時刻と放送局の情報を指定する予約手段と、前記予約手段により指定された前記情報に対応するテレビ放送の番組を受信して記憶する記憶手段と、前記予約手段により指定された前記情報を通知する通知先機器の電子メールアドレス及び通知時間とを設定する設定手段と、前記予約手段により指定された前記情報の有無を確認する確認手段と、前記確認手段により前記情報が有ると確認され、かつ、この確認が行われた日と同じ日の録画日が前記予約手段により指定されている場合には、前記予約手段により指定された前記同じ日の録画日に対応する全ての前記録画開始時刻と前記録画終了時刻と前記放送局との情報を取得する取得手段と、前記記憶手段により前記同じ日の全ての前記番組を記憶したとする際に、その後に前記記憶手段による記憶が可能な記憶領域を算出する算出手段と、前記取得手段により取得された前記情報と前記算出手段により算出された前記記憶領域の情報とを内容とした電子メールを作成するメール作成手段と、前記取得手段により取得された前記情報の中で最も早い前記録画開始時刻から前記通知時間だけ前の時刻になったときに、前記メール作成手段により作成された前記電子メールを前記電子メールアドレスを有する前記通信先機器に送信する送信手段とを備えたことを特徴としている。
【発明の効果】
【０００９】
ユーザから録画予約装置にアクセスせずに録画予約装置の録画予約の内容を確認できる。
【発明を実施するための最良の形態】
【００１０】
（第１の実施の形態）
以下に、本発明による録画予約装置の第１の実施の形態を図１乃至図３を参照して説明する。図１は本発明による録画予約装置の第１の実施の形態を示すブロック図である。この録画予約装置１は、チューナ１１と、ＣＰＵ（Ｃｅｎｔｒａｌ  Ｐｒｏｃｅｓｓｉｎｇ  Ｕｎｉｔ）１２と、操作部１３と、ＲＯＭ（Ｒｅａｄ  Ｏｎｌｙ  Ｍｅｍｏｒｙ）１４と、番組記憶部１５と、タイマ１６と、通信部１７と、ＲＡＭ（Ｒａｎｄｏｍ  Ａｃｃｅｓｓ  Ｍｅｍｏｒｙ）１８と、不揮発性メモリ１９とを主たる構成要素としている。また、各構成要素は、バスＢにより相互に接続されている。
【００１１】
次に、各要素の構成を説明する。
【００１２】
チューナ１１は、テレビ放送を受信する。
【００１３】
ＣＰＵ１２は、録画予約装置１全体を制御する。即ち、ＣＰＵ１２は、ユーザによる操作部１３からの操作内容又は後述する録画予約Ｒｎに基づいて、チューナ１１及び番組記憶部１５を動作させて各種画像を番組記憶部１５に記憶する他、後述する録画予約通知プログラムＸに基づき、ユーザが録画予約装置１に対して予約していた番組の内容を確認し、タイマ１６が示す時刻を確認しながら指定された時刻になった場合に通信部１７を介して携帯端末３に対して後述する通知メールＭを送出する。
【００１４】
操作部１３は、ユーザによる録画予約装置１に対する動作命令を行う部分である。操作部１３は、動作命令ボタンやリモコンなどである。
【００１５】
ＲＯＭ１４は、後述する録画予約通知プログラムＸや録画予約装置１を動作するための他のプログラム等を格納する。
【００１６】
番組記憶部１５は、受信した番組を記憶する。即ち、番組記憶部１５は、チューナ１１が受信したテレビ放送の番組を記憶する。番組記憶部１５は、ＨＤＤ（Ｈａｒｄ  Ｄｉｓｋ  Ｄｒｉｖｅ）や、ビデオテープ、ＤＶＤ（Ｄｉｇｉｔａｌ  Ｖｅｒｓａｔｉｌｅ  Ｄｉｓｋ）、ＣＤ（Ｃｏｍｐａｃｋ  Ｄｉｓｋ）、その他の記憶媒体等である。
【００１７】
タイマ１６は、時計動作を行う。即ち、タイマ１６は時計動作を常に行うことで時刻情報を発生している。
【００１８】
通信部１７は、外部機器との通信を行う。通信部１７は、モデム、ＬＡＮ（Ｌｏｃａｌ  Ａｒｅａ  Ｎｅｔｗｏｒｋ）モジュール、無線ＬＡＮモジュール、Ｂｌｕｅｔｏｏｔｈ（登録商標）規格に準拠したモジュール（以下、「ＢＴモジュール」という）等である。
【００１９】
ＲＡＭ１８は、後述する通知メールＭを記憶する他、ＣＰＵ１２の動作に伴って情報を一時記憶しておく部分である。
【００２０】
不揮発性メモリ１９は、後述する録画予約Ｒ、通知時間Ｔ、付加情報Ａ、携帯端末３の電子メールアドレス、その他の録画予約装置１の電源を切断した際でも消去させてはならない情報を記憶する部分である。
【００２１】
携帯端末３は、電子メールを送受信する機能を有し、図示せぬ表示部に受信した情報を表示する。
【００２２】
尚、録画予約装置１にはバスＢを介して表示部２の接続を可能としており、チューナ１１で受信したテレビ放送や番組記憶部１５に記憶した映像等をＣＰＵ１２の制御を仰ぎながら図示せぬ映像処理部により映像信号化され表示部２より出力することが出来る。表示部２は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等である。
【００２３】
次に、図２を用いて本発明の実施の形態に係る録画予約装置１の動作を説明する。図２は本発明の実施の形態に係る録画予約装置１の動作を説明するためのフローチャートである。
【００２４】
まず、ＣＰＵ１２は、録画予約装置１に当日の録画予約がされているかを確認する（ステップＳ１）。即ち、ＣＰＵ１２は不揮発性メモリ１９に記憶されているユーザからの当日の録画予約Ｒｎがあるか否かを確認する。ここで録画予約Ｒｎ（ｎは整数）とは、ユーザが録画予約装置１に対して予約をした番組の情報であり、少なくとも、日時情報である録画日、録画開始時刻、録画終了時刻の情報とチャンネル情報である放送局の情報が含まれている。尚、これらの情報は録画予約装置１が認識できる形式であれば、例えば暗号化されていても良いし、Ｇコード情報のようなコード情報でもよい。
【００２５】
また、このステップＳ１の確認はＣＰＵ１２がタイマ１６のが発する時間を確認し、一定時間経過毎に不揮発性メモリ１９を監視することで実現できる他、操作部１３を介してユーザからの指示で任意の時刻に監視するようにしても良い。更に、ステップＳ１は午前０時から録画が開始することもあるため、前日からステップＳ１の確認を開始するようにしても良い。
【００２６】
その結果、ＣＰＵ１２が、不揮発性メモリ１９に当日の録画予約Ｒｎがないと判断した場合には（ステップＳ１のＮｏ）、本発明の実施の形態に係る録画予約装置の動作は終了する。
【００２７】
一方、ＣＰＵ１２が、不揮発性メモリ１９に当日の録画予約Ｒｎがあると判断した場合には（ステップＳ１のＹｅｓ）、この録画予約ＲｎをＲＡＭ１８に読み込む（ステップＳ２）。
【００２８】
従って、この１つ目の録画予約の読み込み（録画予約Ｒ１）で録画予約の録画日、録画開始時刻及び終了時刻の情報と、録画する放送局の情報がＲＡＭ１８に記憶されることとなる。例えば、１つ目の録画予約として、２００３年１２月１０日の１０時〜１１時に放送局ａのドキュメトαという番組を予約したとすると、この「２００３年１２月１０日の１０時〜１１時」という日時情報と、「放送局ａ」というチャンネル情報を読み込むこととなる。
【００２９】
また、録画予約装置１はインターネットと接続可能となっていれば、該当する放送局の所定のＵＲＬや各放送局の番組情報等が得られるＵＲＬにアクセスすることで、この日時情報とチャンネル情報若しくはＧコード情報等から番組名等、その他の番組内容の情報の取得を可能とする構成としても良い。これにより、番組名が取得できるような構成であれば「ドキュメントα」という情報もＲＡＭ１８に記憶される。
【００３０】
次に、ＣＰＵ１２は他の録画予約Ｒｎがあるか否かを判断する（ステップＳ３）。
【００３１】
その結果、当日の他の録画予約Ｒｎがある場合には（ステップＳ３のＹｅｓ）、ステップＳ２に戻り、他の録画予約の全てを読み込むまで録画予約Ｒｎを読み込み続け、ＲＡＭ１８に記憶する。例えば、録画予約装置１に対して該当する日の予約が３つあったとすると、録画予約Ｒ１〜録画予約Ｒ３までがＲＡＭ１８に記憶されることとなる。
【００３２】
一方、他の録画予約Ｒｎがない場合は（ステップＳ３のＮｏ）、次に通知時間Ｔを読み込む（ステップＳ４）。即ち、ＣＰＵ１２は、不揮発性メモリ１９に記憶された全ての録画予約Ｒｎを読み込み終えた後、今度は不揮発性メモリ１９に記憶された通知時間Ｔを読み込み、ＲＡＭ１８に記憶する。
【００３３】
ここで、通知時間Ｔとは、後述する通知メールＭを送信する時刻を決定するために利用される時間であり、本実施の形態では録画当日の最初の録画開始時刻を基準として通知時間Ｔで示された時間だけ前の時刻に録画予約装置１から携帯端末３へ通知メールＭが送信されることを意味する。例えば、録画当日の最初の録画開始時刻が午前１０時であり、通知時間Ｔに２時間が設定されていたとすると、この通知時間Ｔの設定は午前８時に通知メールＭを送信する設定をしたことを意味する。
【００３４】
次に、ＣＰＵ１２は通知メールＭを作成する（ステップＳ５）。即ち、ＣＰＵ１２は、ＲＡＭ１８に読み込んだ録画予約Ｒｎや番組名を内容とするメールを作成し、不揮発性メモリ１９より携帯端末３の電子メールアドレスを読み込んで通知メールＭに設定し、ＲＡＭ１８に記憶する。例えば、録画予約が３つであれば、ＲＡＭ１８に読み込んだ録画予約Ｒ１〜録画予約Ｒ３やこれらに対応する番組名の内容を含むメールを作成し、送信先の機器である携帯端末３の電子メールアドレスを設定し、ＲＡＭ１８に記憶する。
【００３５】
次に、ＣＰＵ１２は、作成した通知メールＭを送信する（ステップＳ６）。即ち、ＣＰＵ１２は、タイマ１６の時刻が該当する通知時間Ｔになったと判断した場合、ＲＡＭ１８に作成した通知メールＭを通信部１７を介して携帯端末３に送信する。例えば、録画当日の最初の録画開始時刻は１０時で、通知時間Ｔが２時間の設定がされていたとすると、ＣＰＵ１２は、タイマ１６が発する時刻を見て、８時になった時点でＲＡＭ１８に作成した通知メールＭを通信部１７を介して送信する。これにより本発明の第１の実施の形態に係る録画予約装置１の動作が終了する。
【００３６】
尚、上述の動作において通信部１７がＢＴモジュールの機能をも有する構成としていれば、このＢＴモジュールの機能を用いて携帯端末３に通知するようにしても良い。この場合、携帯端末３を持ったユーザがＢＴモジュールで通信できるほど録画予約装置１の近くにいれば、このＢＴモジュールの機能を介して携帯端末３に通知することでインターネットを経由した通知メールＭよりも早く携帯端末３に録画予約の内容を通知することが可能となりうる。
【００３７】
以上、第１の実施の形態に係る録画予約装置１の動作を説明したが、以下に、具体例として、ユーザが、操作部１３を用いて録画予約装置１に対して、２００３年１２月１０日の録画予約に、１つ目の録画予約番組として１０時〜１１時の時間帯に放送局ａのドキュメントαという番組、２つ目の録画予約番組として１９時〜１９時２０分の時間帯に放送局ｂのニュースβという番組、３つ目の録画予約番組として２１時〜２３時の時間帯に放送局ｃのドラマγという番組を予め予約していた場合であって、通知時間Ｔとして２時間を設定したとする。この場合、録画予約装置１からは当日の８時に通知メールＭが送信され、通知メールＭを受信した携帯端末３では、この通知メールＭを携帯端末３の図示せぬ表示部に表示すると、図３に示すような録画予約Ｒ１〜録画予約Ｒ３を含んだ当日の録画予約内容の通知するメールが表示されることとなる。
【００３８】
このように、本発明の第１の実施の形態の録画予約装置を使用することで、ユーザから録画予約装置１にアクセスせずに当日の録画予約の内容を確認することが出来る。従って、ユーザは、過去に予約し、録画したかの記憶が明確でなくなった場合でも、本メールにて改めて録画予約を確認することが出来る。また、本メールは一定時間前に発信されるため、メールの内容確認後に、録画予約を解消したり、録画の開始又は終了の時刻の設定を変えたりすることも可能となる。
【００３９】
（第２の実施の形態）
以下に、本発明による録画予約装置の第２の実施の形態を図４乃至図５を参照して説明する。図４は、本発明の第２の実施の形態に係る録画予約確認プログラムＸの動作を説明するためのフローチャートである。この第２の実施の形態の各部について、図２の第１の実施の形態に係るフローチャートと同一部分は同一記号で示し、その説明を省略する。この第２の実施の形態が、第１の実施の形態と異なる点は、図２のステップＳ４〜ステップＳ６が、ステップＳ２とステップＳ３の間で処理するようになる結果、録画予約Ｒｎの数だけメールを作成して送信するステップＳ４ｂ〜ステップＳ６ｂに変わっていることにある。
【００４０】
即ち、本実施の形態では、ＣＰＵ１２が、番組記憶部１５に当日の録画予約があると判断し（ステップＳ１のＹｅｓ）、録画予約Ｒｎを読み込んだ後（ステップＳ２）、続けて通知時間Ｔｎ（ｎは整数）を読み込む（ステップＳ４ｂ）。ここで、通知時間Ｔｎとは、基本的には通知時間Ｔと同じであるが、録画予約Ｒｎ毎に設定できる点が異なる。また、通知時間Ｔｎは、録画予約Ｒｎ毎に不揮発性メモリ１９に記憶させておいても良いし、全て同じ時間に設定するのであれば、１つだけ設定するような構成にしても良い。
【００４１】
従って、ＣＰＵ１２は、番組記憶部１５に記憶された１つ目の録画予約Ｒｎ（録画予約Ｒ１）を読み込み終えた後、更に不揮発性メモリ１９に記憶された通知時間Ｔｎを読み込む。例えば、録画予約Ｒ１として、２００３年１２月１０日の１０時〜１１時に放送局ａのドキュメトαという番組を予約し、かつ、録画予約Ｒ１に対応した通知時間（通知時間Ｔ１）として２時間を設定していたとすると、この「２００３年１２月１０日の１０時〜１１時」という日時情報と、「放送局ａ」というチャンネル情報と、「２時間」という通知時間の情報を読み込むこととなる。
【００４２】
また、録画予約装置１はインターネットと接続可能となっていれば、番組名等その他の情報の取得が可能となることは既述の第１の実施の形態と同様である。この場合、番組名である「ドキュメントα」等の他の情報もＲＡＭ１８に記憶される。
【００４３】
次に、ＣＰＵ１２は通知メールＭｎを作成する（ステップＳ５ｂ）。即ち、ＣＰＵ１２は、ＲＡＭ１８に読み込んだ録画予約Ｒｎや番組名を内容とする通知メールＭｎを作成し、不揮発性メモリ１９より携帯端末３の電子メールアドレスを読み込んでこの通知メールＭｎに設定し、ＲＡＭ１８に記憶する。
【００４４】
次に、ＣＰＵ１２は、作成した通知メールＭｎを送信する（ステップＳ６ｂ）。即ち、ＣＰＵ１２は、タイマ１６の時刻が該当する送信時刻になったと判断した場合、通信部１７を介して携帯端末３に送信する。例えば、録画予約Ｒ１の録画開始時刻は１０時で、通知時間Ｔ１が２時間の設定がされていたとすると、ＣＰＵ１２は、タイマ１６が発する時刻を見て、８時になった時点で１つ目の通知メールであるＲＡＭ１８に作成した通知メールＭ１を送信する。
【００４５】
次に、ＣＰＵ１２は他の録画予約Ｒｎがあるか否かを判断する（ステップＳ３）。即ち、上記の処理は１つ目の録画予約に対して行われたものであるため、他の予約があれば更にメールを作成する必要があるためこの判断を行う。
【００４６】
その結果、他の録画予約Ｒｎがある場合には（ステップＳ３のＹｅｓ）、ステップＳ２に戻り、録画予約毎に通知メールＭｎメールを作成し、携帯端末３へ送信することとなる。
【００４７】
尚、上述の動作は通信部１７がＢＴモジュールの機能を有することでインターネット経由ではなく直接携帯端末３に録画予約の通知が可能となる点は既述の第１の実施の形態と同様である。
【００４８】
以上、第２の実施の形態に係る録画予約装置１の動作を説明したが、以下に、具体例として、第１の実施の形態に示した具体例と同じ録画予約を予めしていた場合であって、通知時間Ｔ１〜通知時間Ｔ３の全てについて２時間を設定した場合、通知メールＭ１〜通知メールＭ３を受信した携帯端末３では、この通知メールＭ１〜通知メールＭ３を携帯端末３の図示せぬ表示部に表示すると、図３に示すようになる。
【００４９】
即ち、録画予約装置１から録画日当日の８時に送信された通知メールＭ１は、図５（ａ）に示すように１０時〜１１時の放送局ａのドキュメントαという番組が予約されている旨を示すこととなる。
【００５０】
同様に、録画予約装置１から１７時に送信された通知メールＭ２は、図５（ｂ）に示すように１９時〜１９時２０分の放送局ｂのニュースβという番組が予約されている旨を示すこととなる。
【００５１】
更に、録画予約装置１から１９時に送信された通知メールＭ３は、図５（ｃ）に示すように２１時〜２３時の放送局ｃのドラマγという番組が予約されている旨を示すこととなる。
【００５２】
このように、本発明の第２の実施の形態の録画予約装置においても、ユーザから録画予約装置１にアクセスせずに当日の録画予約の内容を確認することが出来る。従って、ユーザは、過去に予約し、録画したかの記憶が明確でなくなった場合でも、本メールにて改めて録画予約を確認することが出来る。
【００５３】
また、本メールは一定時間前に発信されるため、メールの内容確認後に、録画予約を解消したり、録画の開始又は終了の時刻の設定を変えたりすることも可能となる。
【００５４】
（第３の実施の形態）
以下に、本発明による録画予約装置の第３の実施の形態を図６乃至図７を参照して説明する。図６は、本発明の第３の実施の形態に係る録画予約確認プログラムＸの動作を説明するためのフローチャートである。この第３の実施の形態の各部について、図２の第１の実施の形態に係るフローチャートと同一部分は同一記号で示し、その説明を省略する。この第３の実施の形態が、第１の実施の形態と異なる点は、図２のステップＳ３とステップＳ４の間に付加情報があるかを判断するステップＳ７と、この付加情報があった場合にその付加情報を読み込むステップＳ８が加わっていることにある。
【００５５】
即ち、本実施の形態では、ＣＰＵ１２が、他の録画予約がないと判断した場合（ステップＳ３のＮｏ）、即ち、当日の全ての録画予約Ｒｎを読み終えたと判断した場合、次にＣＰＵ１２は、付加情報が設定されているか否かを判断する（ステップＳ７）。ここで、付加情報とは、例えば、不揮発性メモリ１９に設定されたフラグのことであり、番組予約状況以外の他の情報をメールに含ませるか否かを示すものである。
【００５６】
従って、このフラグは事前に自由に設定することが可能であり、例えば、番組録画後の録画予約装置１において番組記憶部１５の空領域の情報を示す場合などに用いることができる。また、このフラグは、必ずしも単一のものに限る必要は無く、複数の付加情報を設定しておいても良い。
【００５７】
その結果、ＣＰＵ１２は付加情報が設定されていないと判断した場合には（ステップＳ７のＮｏ）、ステップＳ４、ステップＳ５、ステップＳ６に進み、第１の実施の形態と同様に当日の全ての録画予約内容を含んだメールを通知時間Ｔを用いて所定の時間に送信することとなる。この場合の携帯端末３側でのメールの内容は、第１の実施に示した具体例と同様の録画予約をしていれば、図３に示した通知メールＭと同様のものとなる。
【００５８】
一方、ＣＰＵ１２は付加情報が設定されていると判断した場合には（ステップＳ７のＹｅｓ）、付加情報Ａを読み込む（ステップＳ８）。即ち、付加情報Ａが、録画後の空領域を示すものであれば、番組記憶部１５の空領域から番組予約に必要な記録領域を差し引いた残りの空領域を計算する。
【００５９】
次に通知時間Ｔを読み込む（ステップＳ４）。そして、読み込んだ録画予約Ｒｎと計算した空領域の内容を含んだ通知メールＭを作成し（ステップＳ５）、通知時間Ｔを用いて所定の時間に送信する（ステップＳ６）。このステップＳ４〜ステップＳ５の動作については上述した第１の実施の形態と重複する説明であるためこれ以上の詳説は省略する。
【００６０】
尚、上述の動作は通信部１７がＢＴモジュールの機能を有することでインターネット経由ではなく直接携帯端末３に録画予約の通知が可能となる点は既述の第１の実施の形態と同様である。
【００６１】
以上、第３の実施の形態に係る録画予約装置１の動作を説明したが、以下に、具体例として、第１の実施の形態に示した具体例と同じ録画予約を予めしていた場合であって、通知時間Ｔに２時間を設定し、付加情報Ａに録画後の空領域をメールの内容に追加する設定をしていた場合、通知メールＭを受信した携帯端末３では、この通知メールＭを携帯端末３の図示せぬ表示部に表示すると、図７に示すようになる。
【００６２】
即ち、録画予約装置１から８時に送信された通知メールＭは、図７示すような録画予約Ｒ１〜録画予約Ｒ３を含んだ番組の予約内容の他、番組録画後の番組記憶部１５の空領域（図７では「２４時間」）を示したメールが表示されることとなる。尚、ここでの空領域の表示は時間で示しているが、「１２０ＧＢｙｔｅ」のように番組記憶部１５の残りの記憶可能な容量の値を示すようにしても良い。
【００６３】
このように、本発明の第３の実施の形態の録画予約装置においても、ユーザから録画予約装置１にアクセスせずに当日の録画予約の内容を確認することが出来る。従って、ユーザは、過去に予約し、録画したかの記憶が明確でなくなった場合でも、本メールにて改めて録画予約を確認することが出来る。
【００６４】
また、本メールは一定時間前に発信されるため、メールの内容確認後に、録画予約を解消したり、録画の開始又は終了の時刻の設定を変えたりすることも可能となる。
【００６５】
更に、録画後の空領域等の付加情報を読み込み、これをメールの内容として示すことで、録画予約以外の録画予約装置１に関する他の情報を知ることが出来、より効率的に録画予約装置１を利用することが出来る。
【００６６】
（第４の実施の形態）
以下に、本発明による録画予約装置の第４の実施の形態を図８乃至図９を参照して説明する。図８は、本発明の第４の実施の形態に係る録画予約確認プログラムＸの動作を説明するためのフローチャートである。この第４の実施の形態の各部について、図６の第３の実施の形態に係るフローチャートと同一部分は同一記号で示し、その説明を省略する。この第４の実施の形態が、第３の実施の形態と異なる点は、図６のステップＳ４〜ステップＳ８が、ステップＳ２とステップＳ３の間で処理するようになる結果、録画予約Ｒｎの数だけメールを作成して送信するステップＳ４ｃ〜ステップＳ８ｃに変わっていることにある。
【００６７】
即ち、本実施の形態では、ＣＰＵ１２が、番組記憶部１５に番組予約があると判断し（ステップＳ１のＹｅｓ）、１つ目の録画予約Ｒ１を読み込んだ後（ステップＳ２）、次に付加情報が設定されているか否かを判断する（ステップＳ７ｃ）。
【００６８】
その結果、ＣＰＵ１２は付加情報が設定されていないと判断した場合には（ステップＳ７ｃのＮｏ）、ステップＳ４ｃ、ステップＳ５ｃ、ステップＳ６ｃに進み、第１の実施の形態と同様に当日の全ての録画予約内容を含んだメールを通知時間Ｔｎを用いて所定の時間に送信することとなる。この場合の携帯端末３側でのメールの内容は、第１の実施の形態で示した具体例と同じ録画予約であれば図５に示した通知メールＭと同様のものとなる。
【００６９】
一方、ＣＰＵ１２は付加情報が設定されていると判断した場合には（ステップＳ７ｃのＹｅｓ）、付加情報Ａを読み込む（ステップＳ８ｃ）。即ち、付加情報が、録画後の空領域を示すものであれば、番組記憶部１５の空領域から番組予約に必要な記録領域を差し引いた残りの空領域を計算する。
【００７０】
次に通知時間Ｔｎを読み込む（ステップＳ４ｃ）。そして、読み込んだ録画予約Ｒｎと計算した空領域の内容を含んだ通知メールＭを作成し（ステップＳ５ｃ）、通知時間Ｔｎで指定された時刻に送信する（ステップＳ６ｃ）。このステップＳ４ｃ〜ステップＳ６ｃの動作については既述した第１の実施の形態と重複する説明であるためこれ以上の詳説は省略する。
【００７１】
尚、上述の動作は通信部１７がＢＴモジュールの機能を有することでインターネット経由ではなく直接携帯端末３に録画予約の通知が可能となる点は既述の第１の実施の形態と同様である。
【００７２】
以上、第４の実施の形態に係る録画予約装置１の動作を説明したが、以下に、具体例として、第１の実施の形態に示した具体例と同じ録画予約を予めしていた場合であって、通知時間Ｔ１〜通知時間Ｔ３の全てに２時間を設定し、付加情報Ａに録画後の空領域をメールの内容に追加する設定をしていた場合、通知メールＭ１〜通知メールＭ３を受信した携帯端末３では、この通知メールを携帯端末３の図示せぬ表示部に表示すると、図９に示すようになる。
【００７３】
即ち、録画予約装置１から８時に送信された通知メールＭ１は、図９（ａ）に示すように１０時〜１１時の放送局ａの番組が予約されていることと、録画後の空領域である２６時間２０分の情報を示すこととなる。
【００７４】
同様に、録画予約装置１から１７時に送信された通知メールＭ２は、図５（ｂ）に示すように１９時〜１９時２０分の放送局ｂの番組が予約されていることと、録画後の空領域である２６時間の情報を示すこととなる。
【００７５】
更に、録画予約装置１から１９時に送信された通知メールＭ３は、図５（ｃ）に示すように２１時〜２３時の放送局ｃの番組が予約されていることと、録画後の空領域である２４時間の情報を示すこととなる。尚、第３の実施の形態と同様に、空領域の表示は「１２０ＧＢｙｔｅ」のように番組記憶部１５の残りの記憶可能な容量の値を示すようにしても良い。
【００７６】
このように、本発明の第４の実施の形態の録画予約装置においても、ユーザから録画予約装置１にアクセスせずに当日の録画予約の内容を確認することが出来る。従って、ユーザは、過去に予約し、録画したかの記憶が明確でなくなった場合でも、本メールにて改めて録画予約を確認することが出来る。
【００７７】
また、本メールは一定時間前に発信されるため、メールの内容確認後に、録画予約を解消したり、録画の開始又は終了の時刻の設定を変えたりすることも可能となる。
【００７８】
更には、録画後の空領域等の付加情報を読み込み、これをメールの内容として示すことで、録画予約以外の録画予約装置１に関する他の情報を知ることが出来、より効率的に録画予約装置１を利用することが出来る。
【図面の簡単な説明】
【００７９】
【図１】本発明による録画予約装置の第１の実施の形態を示すブロック図。
【図２】本発明の第１の実施の形態に係る録画予約装置１の動作を説明するためのフローチャート。
【図３】本発明の第１の実施の形態に係る録画予約装置より送信された通知メールＭの内容を示す図。
【図４】本発明の第２の実施の形態に係る録画予約装置１の動作を説明するためのフローチャート
【図５】本発明の第２の実施の形態に係る録画予約装置より送信された通知メールＭの内容を示す図。
【図６】本発明の第３の実施の形態に係る録画予約装置１の動作を説明するためのフローチャート
【図７】本発明の第３の実施の形態に係る録画予約装置より送信された通知メールＭの内容を示す図。
【図８】本発明の第４の実施の形態に係る録画予約装置１の動作を説明するためのフローチャート
【図９】本発明の第４の実施の形態に係る録画予約装置より送信された通知メールＭの内容を示す図。
【符号の説明】
【００８０】
１  録画予約装置
２  表示部
１１  チューナ
１２  ＣＰＵ
１３  操作部
１４  ＲＯＭ
１５  番組記憶部
１６  タイマ
１７  通信部
１８  ＲＡＭ
１９  不揮発性メモリ
Ａ  付加情報
Ｂ  バス
Ｍ，Ｍｎ  通知メール
Ｒ，Ｒｎ  録画予約
Ｔ，Ｔｎ  通知時間
Ｘ  録画予約通知プログラム
【図１】
2005184597.tif 000003
【図２】
2005184597.tif 000004
【図３】
2005184597.tif 000005
【図４】
2005184597.tif 000006
【図５】
2005184597.tif 000007
【図６】
2005184597.tif 000008
【図７】
2005184597.tif 000009
【図８】
2005184597.tif 000010
【図９】
2005184597.tif 000011